(57)【要約】【解決手段】  ベース本体１１と中間ベース３１とからなるベース２と、ベースの上方を覆う略半球形状の帽体５１と、からなるヘルメット１であって、中間ベース３１の後方に一体的に配置される係合パネル７１の上端にあって、ヘルメット１を立ち上がり方向に回動する水平方向の第一回動軸７４、７４と、上方に回動させた帽体を上下逆に回動して反転させる前記第一回動軸と交差する方向の第二回動軸８２とを有する反転収納ヘルメット。【効果】  帽体を立ち上げるように回動するとともに、帽体を反転させて収納することが可能になり、高さ方向に嵩張らない収納可能なヘルメットを提供することができる。【選択図】  図７
2018062721.tif 000002
【特許請求の範囲】
【請求項１】
環状のベースと、該環状のベースの上方を覆う略半球形状の帽体と、からなるヘルメットであって、
前記ベースに配置され、該ベースの一端部を支点として、前記帽体を上下方向に回動する水平方向の第一回動軸と、
上方に回動させた帽体を上下逆に回動して反転させる前記第一回動軸と交差する方向の第二回動軸と、を有することを特徴とする反転収納ヘルメット。
【請求項２】
第一回動軸は、ベースの後方上縁に位置し、
前記第一回動軸により回動自在に支持される回動基部を有し、その先端から第二回動軸を突出させ、
帽体後方において、前記第二回動軸により回動自在に支持する第二回動軸支持部を有することを特徴とする請求項１に記載の反転収納ヘルメット。
【請求項３】
ベースは、環状のベース本体と、中間ベースとからなるものであって、
該中間ベースは、ベース本体の上方に配置し、さらにその上方に帽体を配置するものであって、ベース本体の内側に沿って収納可能に支持されることを特徴とする請求項１または２のいずれか一項に記載の反転収納ヘルメット。
【請求項４】
中間ベースは、ベース本体の側面において水平方向の回動支持軸によりその先端を軸支され、後方にかけて放射状に広がりを有する形態であり、
前記中間ベースの後方において、ベース本体の内側上縁と係合する係合パネルが配置されることを特徴とする請求項３に記載の反転収納ヘルメット。
【請求項５】
係合パネルとベース本体との係合は、前記係合パネルの下縁から外方に突出する係合凸部と、ベース本体後方で内方に形成した係合凹部と、係合状態を保持する弾性体とからなることを特徴とする請求項４に記載の反転収納ヘルメット。
【請求項６】
係合パネルは、その上端及び下端を除く側方に、水平方向のパネル回動軸により中間ベースに軸支され、その上端から延長した係合解除部を有するものであって、
係合解除部は、第一回動軸により回動する回動基部の所定角度の回動により係合し、前記係合パネルの上端を外側方向に回動することによって係合を解除することを特徴とする請求項５に記載の反転収納ヘルメット。
【発明の詳細な説明】
【技術分野】
【０００１】
本発明は、使用状態と収納状態とを変更可能にしたヘルメットであって、例えば地震等の非常時や作業を行う場合に簡単に使用状態とし、収納時には嵩を減らした状態に簡単に収納できるものに関する。
【背景技術】
【０００２】
防災時のための備え置きに利用されるため、従来から折り畳むなどの手法によりヘルメットの嵩を減らすものが開発されている。折り畳み型のヘルメットの他に、帽体部分と鉢巻部分とを分割して、帽体部分を鉢巻部分の内方に入れ込んで収納するものは存在した。
（特許文献１参照）
【０００３】
また、ヘルメットの帽体部分を鉢巻部分に対して枢軸を起点に反転させて収納するものも存在した。
（特許文献２参照）
【０００４】
また、ヘルメットを高さ方向にかけて複数に分割し、各々の分割体を下方に収納するヘルメットも存在した。
（特許文献３参照）
【０００５】
このような収納型ヘルメットは、ヘルメットの構造上、帽体の頂点が凸状とならざるを得ないものであるところ、これを収納し、収納時に嵩張らないようにするとともに所定の強度を担保することが求められてきた。
【０００６】
特許文献１、２に記載の先行技術は、鉢巻部分の嵩が高いことから、収納状態で高さ方向の嵩を減らすことができない。しかも特許文献２に記載の先行技術は軸により帽体部分を反転させるものであるが、ヘルメットの側面厚みとの関係上、回動軸が細くならざるを得ず、強度上の問題があるうえ、帽体を使用状態から反転させるためスムーズな反転や帽体の固定手段が難しい。特許文献３に記載の先行技術は、複数に分割することにより高さ方向の嵩を減らすことができるが、複数のストッパー、解除手段を用いなければならなかった。
【先行技術文献】
【特許文献】
【０００７】
【特許文献１】特開２００４−８４１４５号公報
【特許文献２】特開２０１５−１３２０３２号公報
【特許文献３】特開２０１５−２８２３３号公報
【発明の概要】
【発明が解決しようとする課題】
【０００８】
そこで、高さ方向に嵩張らず、帽体を鉢巻状部分の内方に収納できるヘルメットであって、高さ方向の嵩をできるだけ低くするとともに、所定の強度を有し、複数の解除手段を用いることなく簡単に収納状態、使用状態にすることができる収納型ヘルメットが求められていた。
【課題を解決するための手段】
【０００９】
そこで、本発明の反転収納ヘルメットは、環状のベースと、該環状のベースの上方を覆う略半球形状の帽体と、からなるヘルメットであって、前記ベースに配置され、該ベースの一端部を支点として、前記帽体を上下方向に回動する水平方向の第一回動軸と、上方に回動させた帽体を上下逆に回動して反転させる前記第一回動軸と交差する方向の第二回動軸と、を有することを特徴とする。
【００１０】
また、第一回動軸は、ベースの後方上縁に位置し、前記第一回動軸により回動自在に支持される回動基部を有し、その先端から第二回動軸を突出させ、帽体後方において、前記第二回動軸により回動自在に支持する第二回動軸支持部を有することを特徴とすることが好ましい。
【００１１】
また、ベースは、環状のベース本体と、中間ベースとからなるものであって、該中間ベースは、ベース本体の上方に配置し、さらにその上方に帽体を配置するものであって、ベース本体の内側に沿って収納可能に支持されることを特徴とすることが好ましい。
【００１２】
また、中間ベースは、ベース本体の側面において水平方向の回動支持軸によりその先端を軸支され、後方にかけて放射状に広がりを有する形態であり、前記中間ベースの後方において、ベース本体の内側上縁と係合する係合パネルが配置されることが好ましい。
【００１３】
また、係合パネルとベース本体との係合は、前記係合パネルの下縁から外方に突出する係合凸部と、ベース本体後方で内方に形成した係合凹部と、係合状態を保持する弾性体とからなることが好ましい。
【００１４】
また、係合パネルは、その上端及び下端を除く側方に、水平方向のパネル回動軸により中間ベースに軸支され、その上端から延長した係合解除部を有するものであって、係合解除部は、第一回動軸により回動する回動基部の所定角度の回動により係合し、前記係合パネルの上端を外側方向に回動することによって係合を解除することを特徴とすることが好ましい。
【発明の効果】
【００１５】
請求項１及び２に記載の発明により、帽体を立ち上げるように回動するとともに、帽体を反転させて収納することが可能になり、高さ方向に嵩張らない収納可能なヘルメットを提供することができる。また、後方に回動軸を集中することにより、ヘルメットの構造、機能上、所定の厚みの軸を用いることができ、所定の強度を有することができる。
【００１６】
また、請求項３及び４に記載の発明により、ベースをベース本体と中間ベースに分け、中間ベースをベース本体に収納可能にすることにより、収納時に更に嵩を減らして収納することが可能となる。
【００１７】
また、請求項５及び６に記載の発明により、帽体の立ち上げにより、中間ベースのベース本体への係合を解除することができ、帽体の収納作業と中間ベースの係合解除の動作を同じくしたことで、ワンタッチで簡単な収納が可能になる。
【図面の簡単な説明】
【００１８】
【図１】本実施形態のヘルメット１の全体を示す使用状態の斜視図である。
【図２】本実施形態のヘルメット１の全体を示すものであって、図１の状態から帽体を回動して立ち上げた状態を示す斜視図である。
【図３】本実施形態のヘルメット１の全体を示すものであって、図２の状態から更に立ち上げ方向に回動した状態を示す斜視図である。
【図４】本実施形態のヘルメット１の全体を示すものであって、図３の状態から帽体を回動して反転させた状態を示す斜視図である。
【図５】本実施形態のヘルメット１の全体を示すものであって、図４の状態から帽体及び中間ベースを収納位置に収納した収納状態の斜視図である。
【図６】本実施形態のヘルメット１の全体を示す側面図である。
【図７】図１のＡ−Ａ線断面図である。
【図８】本実施形態のヘルメットの帽体及び回動基部を外したものであって、中間ベースに配置される係合パネルを示す一部拡大斜視図である。
【図９】図８に一部切り欠いた帽体及び回動基部を取り付けた状態を示す一部拡大斜視図である。
【図１０】本実施形態に用いる係合パネルの裏面側からみた状態を示す全体斜視図である。
【図１１】本実施形態の係合パネルの係合状態を示す一部拡大断面図である。
【図１２】本実施形態の係合パネルの係合を解除した状態を示す一部拡大断面図である。
【発明を実施するための形態】
【００１９】
本発明の実施の一例を図面に沿って説明する。図１は、本発明のヘルメット１の全体を示す。ヘルメット１は、ベース２と帽体５１とからなるもので、一の帽子状のヘルメットを概ね水平方向に分割し、その下方をベース２、上方を帽体５１とするものである。このため、ベース２は鉢巻状、環状に形成され、その内壁側に収納位置３となる空間を有する。本実施形態におけるベース２は、さらにベース本体１１と中間ベース３１とに分割される。
【００２０】
図面上は省略しているが、ヘルメット１を使用する場合において、帽体５１の内側には発泡性樹脂などによる緩衝材を配置し、ベース２の内壁には着用ベルトが配置される。
【００２１】
本説明において、ツバ１２を有する方向を前方向、その反対側を後方向として説明し、ヘルメット１を使用できる状態を使用状態（図１参照）、帽体５１を反転して収納した状態を収納状態（図５参照）として説明する。また、ヘルメット１の使用者が被る側を内側、その反対側を外側として説明する。
【００２２】
本実施形態における基本的な機能について、説明する。図１に示す使用状態のヘルメット１からベース２の前方内側に配置されるロック部１６のロックを解除する。そして、図２に示すように帽体５１を回動して立ち上げ、図３に示す位置まで帽体５１を立ち上げると中間ベース３１とベース本体１１との係合が解除される。帽体５１を立ち上げた状態で、図４に示すように帽体５１を上下逆に反転するように回動し、さらに帽体５１を立ち上げ方向と逆方向に回動して、図５に示すように帽体５１をベース内方の収納位置３に収納することができる。なお、実際には図３に示す状態で中間ベース３１の係合が解除され、中間ベース３１がベース本体１１の内方に落ち込むが、図４においては図面による説明上、中間ベース３１がベース本体１１に収納されていない状態で示している。
【００２３】
このように、本発明の反転収納ヘルメット１は、帽体５１を上方へ開放する回動と、帽体５１を上下逆に反転する方向の回動と、を組み合わせて収納状態とすることを特徴とする。
【００２４】
図６、７により、本実施形態のヘルメットの構造について説明する。
ベース本体１１は、使用状態において、ヘルメット１全体の下部にあたる環状・鉢巻状の板状部材である。ツバ１２を有するベース本体１１の前方は、着用時に使用者の額付近に位置し、ベース本体１１の後方は使用者の後頭部付近に位置する。ベース本体１１の高さは、ヘルメット１の前方において、帽体５１の頂点までの高さとなる全体高さの約３分の１、後方において約２分の１程度の高さである。
【００２５】
中間ベース３１は、平面視において環状体を一部切り欠いた略Ｃ字状の形態であり、側面視において先端３２、３２から後方にかけて放射状に広がりを有する略扇型の形態である。側面視において中間ベース３１の先端３２、３２付近では、水平方向の回動支持軸３３、３３によりベース本体１１の側面の中央やや前方よりとなる軸支位置１３、１３で軸支される。この軸支により、中間ベース３１は、回動支持軸３３、３３を支点に、上下方向（図６の矢印線Ｚ方向）に回動する。
【００２６】
中間ベース３１の後方の中央部分を凹ませ、係合パネル７１を配置するための凹所３４が形成される。この凹所３４に係合パネル７１を配置することにより、使用状態において、中間ベース３１の外表面と係合パネル７１の外表面が同一平面上となるように形成され、係合パネル７１は中間ベース３１、ベース２と一体化する。これにより、後述のとおり、係合パネル７１に配置される第一回動軸７４、７４が中間ベース３１、ベース２の一端部である上端に配置されることとなる。
【００２７】
収納状態の中間ベース３１は、ベース本体１１の軸支位置１３、１３から後方にかけて、ベース本体１１の内側壁の内側に沿うように収納される（図５参照）。この状態から、中間ベース３１を立ち上げた使用状態では、側面視においてベース本体１１の上端縁内側から更に立ち上がるように配置される。
【００２８】
係合パネル７１の下端であって、中間ベース３１の下端に相当する高さ位置に、外側方向に向けて突出するパネル係合凸部７２が形成される。一方、ベース本体１１の後方においてもその上縁で内方に向けて凹んで形成されたパネル係合凹部１４が形成される。中間ベース３１が回動して立ち上がったとき、パネル係合凸部７２がパネル係合凹部１４に係合して、中間ベース３１が回動して立ち上がった状態を保持する。この係合状態は、係合パネル７１を外側方向に付勢する弾性体７５により保持される。本実施形態において、この弾性体７５は樹脂バネを用いているが、コイルバネなどその他のものを用いてもよい。
【００２９】
次に、帽体５１について、図６、７に加え、図２、３により説明する。帽体５１は、使用状態においてベース本体１１、中間ベース３１の上側に配置される。帽体５１は使用者の前頭部、頂頭部を覆うものであり、側面視において略半円形状となる。この略半円形状とは球体を約３分の１ないし４分の１程度、切り取った皿状のような形態である。側面視において帽体５１の下縁５２は、右肩上がりに傾斜する。帽体５１は、全体として湾曲しており、その後方から折曲する後方折曲部５４を有し、この湾曲部分は使用者の頂頭部と後頭部との間付近に位置する。
【００３０】
後述のとおり、帽体５１の前方側端から下方に垂下した前方垂下片５３を有し、ベース本体１１の前方上端の内側を凹ませた前方凹部１５に引っかかるように係合する。帽体５１の後方折曲部５４には、その内方に第二回動軸支持部５９が配置され、この第二回動軸支持部５９が第一回動軸７４、７４を支持する回動基部８１から突出する第二回動軸８２を回動可能に支持する。
【００３１】
帽体５１の両側方の下縁５２から、更に下方に突出形成される側方垂下片５５、５５が形成される。この側方垂下片５５、５５がベース本体１１及び中間ベース３１側方の上端縁内側の側方凹部３５、３５に引っかかるように係合し、使用状態の帽体５１のガタツキを防止する。
【００３２】
また、帽体５１の下縁５２は、ベース本体１１の上端縁全体若しくはその一部分が下方から支持されるところ、少なくともベース本体１１の上縁から支持片１７、１７が形成され、帽体５１の下縁５２を下方から支持する。
【００３３】
帽体５１の前方垂下片５３から下方へ垂下し、開口部５７を有する被ロック片５６が形成され、ベース本体１１の前方内側にはロック方向に付勢されるロック部１６が配置される。このロック部１６のカギ状となった先端が開口部５７に係合することにより、ベース本体１１上に帽体５１を配置した状態を保持することができる。なお、この状態を解除して帽体５１を収納するときは、使用者が手動でロック部１６の下部を押し当てて被ロック片５６との係合状態を解除することで、帽体５１を立ち上がる方向へ回動させることができる。
【００３４】
次に、帽体５１が第一回動軸７４、７４及び第二回動軸８２により回動する機構について説明する。
【００３５】
図８に示すように、中間ベース３１の後方の凹所３４に配置される係合パネル７１は、その上端の両側からさらに上方に突出した軸保持部７３、７３が形成され、その軸保持部７３、７３から内側に向けて突出する水平方向の第一回動軸７４、７４が配置される。第一回動軸７４、７４は、帽体５１に接続する回動基部８１が第一回動軸７４、７４を回動自在に支持しており、当該軸を支点に帽体５１を上下方向に回動することができる（図２、３参照）。
【００３６】
第一回動軸７４、７４は、軸保持部７３、７３から各々所定の長さ分だけ突出するものであるが、一本の軸であってもよい。また、本実施例においてヘルメット１の後方に位置しているため、一方の側面側からもう一方の側面側にかけて向かう方向を長手方向とする水平軸であるが、これに長手方向の向きを限定するものではない。
【００３７】
回動基部８１及び第二回動軸８２について説明する。図９に示すように、本実施形態における回動基部８１は、その先端側から円筒状の第二回動軸８２が突出して形成され、末端側で第一回動軸７４、７４を回動自在に支持する軸受部分８３を有する。帽体５１の後方折曲部５４は、第二回動軸８２を通す回動孔を有し、第二回動軸８２の軸凹部８４と係合する軸凸部６０を有する第二回動軸支持部５９を取り付けることにより、第二回動軸８２を支点に帽体５１を回動して反転させることができるように支持する。
【００３８】
第二回動軸８２は、水平方向の第一回動軸７４、７４に交差する方向を長手方向とする。この交差する方向とは、平面視において、第一回動軸７４、７４の長手方向と交差する方向である。本発明の反転収納型ヘルメット１は、帽体５１を開放する方向への回動と、帽体５１を上下逆に反転する方向への回動を組み合わせたことを特徴とするものであり、両軸により相互に異なる別個独立した回動を行い、平面視において交差するものであればよい。
【００３９】
第一回動軸７４、７４により回動して立ち上がった帽体５１は、第二回動軸８２により上下逆になるように反転する（図４参照）。帽体５１を反転させた状態から、さらに第一回動軸７４、７４を支点に、立ち上がり方向と逆方向に回動させることにより、帽体５１をベース本体１１の収容位置３に収納することができる（図５参照）。
【００４０】
中間ベース３１とベース本体１１の係合を解除する構造について説明する。図１０に示すように、中間ベース３１に装着される係合パネル７１は、上端の軸保持部７３、７３と下端のパネル係合凸部７２との間であって、その両側方に軸孔７６、７６を有し、ここに中間ベース３１の凹所３４の側面に配置される軸（図示しない）により、この軸を支点に回動する。
【００４１】
係合パネル７１の軸保持部７３、７３の間の上端縁外側を上方に突出した係合解除部７７を有する。回動基部８１及び帽体５１を、第一回動軸７４、７４を支点に回動して立ち上がらせ、ほぼ垂直方向に達した状態で、回動基部８１の軸受部分８３の円筒状の外表面が係合解除部７７に接触する。これは、側面視における軸受部分８３の厚みが、中心線からの一方向距離（Ｘ）と、もう一方方向の距離（Ｙ）が異なるためである。この状態から更に回動基部８１及び帽体５１を回動すると、係合パネル７１の係合解除部７７を外側に押し出す力が作用し、係合パネル７１が回動して、下端のパネル係合凸部７２とベース本体１１のパネル係合凹部１４との係合を解除することができる。
【００４２】
本実施形態におけるヘルメット１は、第一回動軸７４、７４による回動と、第二回動軸８２による回動の、異なる２つの回動により、帽体５１を収容位置３に収容することができる。また、これらの軸や係合パネル７１を全てヘルメット１の後方に集中させたことにより、所定の厚み、強度を有する軸を使用することができる。
【００４３】
また、ベース２をベース本体１１と中間ベース３１に分割することで、帽体５１の収納だけでなく、ベース２の高さ方向の嵩を減らすことができる。しかも、帽体５１の第一の回動と、中間ベース３１の係合を解除することが一連の動作で行うこととなり、簡単な動作でヘルメット１を収納することができる。
【符号の説明】
【００４４】
１…ヘルメット
２…ベース
１１…ベース本体
１４…係合凹部
３１…中間ベース
３２…先端
３３…回動支持軸
５１…帽体
５４…後方折曲部
７１…係合パネル
７２…係合凸部
７４…第一回動軸
７５…弾性体
７７…係合解除部
８１…回動基部
８２…第二回動軸
【図１】
2018062721.tif 000003
【図２】
2018062721.tif 000004
【図３】
2018062721.tif 000005
【図４】
2018062721.tif 000006
【図５】
2018062721.tif 000007
【図６】
2018062721.tif 000008
【図７】
2018062721.tif 000009
【図８】
2018062721.tif 000010
【図９】
2018062721.tif 000011
【図１０】
2018062721.tif 000012
【図１１】
2018062721.tif 000013
【図１２】
2018062721.tif 000014